(57)【要約】【課題】共通のカバー部材で覆われている複数の固定子巻線の端部を、カバー部材の損傷を防止しながら端子に保持することができる技術を提供する。【解決手段】固定子コアに巻き付けられるＵ相、Ｖ相およびＷ相の固定子巻線それぞれは、スター結線される複数の部分固定子巻線を有している。Ｕ相の各部分固定子巻線（３０Ｕ１、３０Ｕ２、３０Ｕ３）の端部のうち中性点に接続されない端部は、一列に並んだ状態でカバー部材４０により覆われている。端子５０は、本体部５１の両側に設けられている第１の保持片５３ａと第２の保持片５３ｂからなる保持部材５３を有している。第１の保持片５３ａと第２の保持片５３ｂは、先端部分がカバー部材４０の外周面に沿うように折り曲げられている。【選択図】図５
2013207997.tif 000002
【特許請求の範囲】
【請求項１】
固定子であって、
固定子コアと、前記固定子コアに巻き付けられている固定子巻線と、前記固定子コアから引き出された前記固定子巻線の端部に接続される端子と、前記固定子巻線の前記端部を覆うカバー部材を備え、
前記固定子巻線の前記端部は、少なくとも２つの端部を含むグループに分けられており、
前記カバー部材は、同じグループに含まれている前記固定子巻線の端部が一列に並んで配置されている状態で、当該固定子巻線の端部を覆うように構成されており、
前記端子は、本体部材と、保持部材を有し、
前記保持部材は、前記本体部材の一方向に沿った両側に設けられ、前記本体部材に対して折り曲げ可能な第１の保持片および第２の保持片を有しており、
前記カバー部材が、当該カバー部材によって覆われている前記固定子巻線の端部が前記一方向に沿って一列に並ぶように、前記第１の保持片と前記第２の保持片の間に配置されている状態で、前記第１の保持片および前記第２の保持片のうちの一方の保持片は、当該一方の保持片の先端部分が前記カバー部材の外周面に沿って配置されるとともに、前記カバー部材によって覆われている前記固定子巻線の端部のうち、前記一方向に沿って一方側に配置されている少なくとも一つの端部が当該一方の保持片と前記本体部材との間に挟持されるように折り曲げられ、他方の保持片は、当該他方の保持片の先端部分が前記カバー部材の外周面に沿って配置されるとともに、前記一方の保持片と前記本体部材との間に挟持されていない残りの端部が当該他方の保持片と前記本体部材との間に挟持されるように折り曲げられていることを特徴とする固定子。
【請求項２】
請求項１に記載の固定子であって、
前記他方の保持片は、前記一方の保持片の少なくとも一部と重なる位置まで折り曲げられていることを特徴とする固定子。
【請求項３】
請求項１または２に記載の固定子であって、
前記グループは、２つの固定子巻線の端部を含んでおり、
前記一方の保持片は、前記一方向に沿った前記一方側の１つの固定子巻線の端部を当該一方の保持片と前記本体部材の間に挟持し、前記他方の保持片は、前記一方向に沿った他方側の１つの固定子巻線の端部を当該他方の保持片と前記本体部材の間に挟持することを特徴とする固定子。
【請求項４】
請求項１または２に記載の固定子であって、
前記グループは、３つの固定子巻線の端部を含んでおり、
前記一方の保持片は、前記一方向に沿った前記一方側の少なくとも一つの固定子巻線の端部を当該一方の保持片と前記本体部材の間に挟持し、前記他方の保持片は、前記一方向に沿った他方側の残りの固定子巻線の端部を当該他方の保持片と前記本体部材の間に挟持することを特徴とする固定子。
【請求項５】
固定子であって、
固定子コアと、前記固定子コアに巻き付けられている固定子巻線と、前記固定子コアから引き出された前記固定子巻線の端部に接続される端子と、前記固定子巻線の前記端部を覆うカバー部材を備え、
前記固定子巻線の前記端部は、少なくとも２つの端部を含むグループに分けられており、
前記カバー部材は、同じグループに含まれている前記固定子巻線の端部が一列に並んで配置されている状態で、当該固定子巻線の端部を覆うように構成されており、
前記端子は、本体部材と、保持部材を有し、
前記保持部材は、前記本体部材の一方向に沿った両側に設けられ、前記本体部材に対して折り曲げ可能な第１の保持片および第２の保持片を有しており、
前記カバー部材が、当該カバー部材によって覆われている前記固定子巻線の端部が前記一方向に沿って一列に並ぶように、前記第１の保持片と前記第２の保持片の間に配置されている状態で、前記第１の保持片および前記第２の保持片のうちの一方の保持片は、当該一方の保持片の先端部分が前記カバー部材の外周面に沿って配置されるとともに、前記カバー部材によって覆われている前記固定子巻線の端部が当該一方の保持片と前記本体部材との間に挟持されるように折り曲げられ、他方の保持片は、前記一方の保持片の少なくとも一部と重なるように折り曲げられていることを特徴とする固定子。
【請求項６】
請求項１〜５のいずれかに記載の固定子であって、
前記固定子巻線は、第１相、第２相および第３相の固定子巻線を有しているとともに、第１相、第２相および第３相の固定子巻線それぞれは、スター結線される複数の部分固定子巻線を有しており、
同じ相の前記部分固定子巻線の端部のうち中性点を形成しない端部によって前記グループが構成されていることを特徴とする固定子。
【請求項７】
請求項１〜５のいずれかに記載の固定子であって、
前記固定子巻線は、第１相、第２相および第３相の固定子巻線を有しているとともに、第１相、第２相および第３相の固定子巻線それぞれは、デルタ結線される１または複数の部分固定子巻線を有しており、
第１相、第２相および第３相それぞれの前記部分固定子巻線の一方の端部および他方の端部のうち共通に接続される端部によって前記グループが構成されていることを特徴とする固定子。
【請求項８】
固定子と、回転子を備える電動機であって、
前記固定子として請求項１〜７のいずれかに記載の固定子が用いられていることを特徴とする電動機。
【発明の詳細な説明】
【技術分野】
【０００１】
本発明は、電動機等の回転機に用いられる固定子に関し、特に、固定子巻線の端部を端子に保持する技術に関する。
【背景技術】
【０００２】
電動機等の回転機の固定子は、固定子コアと、固定子コアに巻き付けられる固定子巻線と、固定子巻線の端部に接続される端子を有している。例えば、特許文献１に開示されている固定子が知られている。特許文献１に開示されている固定子は、固定子巻線として、Ｕ相、Ｖ相およびＷ相の固定子巻線を有している。また、Ｕ相、Ｖ相およびＷ相の固定子巻線は、スター結線される第１および第２の部分固定子巻線を有している（２重スター結線）。各相の第１および第２の部分固定子巻線の端部のうち、中性点を形成しない端部は、樹脂製のカバー部材により覆われた状態で、端子に保持されるととともに接続される。
従来の、各相の第１および第２の部分固定子巻線を端子に保持する方法を図１９により説明する。なお、図１９は、Ｕ相の第１の部分固定子巻線５３０Ｕ１および第２の部分固定子巻線５３０Ｕ２が端子５５０に保持されている状態の断面図を示している。
端子５５０は、本体部材５５１と、本体部材５５１の両側に設けられている第１の保持片５５３ａおよび第２の保持片５５３ｂを有している。Ｕ相の第１の部分固定子巻線５３０Ｕ１と第２の部分固定子巻線５３０Ｕ２の端部（中性点を形成しない端部）は、樹脂製のカバー部材５４０により覆われる。そして、カバー部材５４０は、第１の部分固定子巻線５３０Ｕ１と第２の部分固定子巻線５３０Ｕ２が本体部材５５１上に並んで配置されるように、第１の保持片５５３ａと第２の保持片５５３ｂの間に配置される。この状態で、第１の保持片５５３ａおよび第２の保持片５５３ｂは、図１９に矢印で示されているように折り曲げられる。この時、第１の保持片５５３ａは、先端部５５３Ａを含む先端部分が第１の部分固定子巻線５３０Ｕ１の外周面に沿って配置されるように、また、第２の保持片５５３ｂは、先端部５５３Ｂを含む先端部分が第２の部分固定子巻線５３０Ｕ２の外周面に沿って配置されるように折り曲げられる。
【先行技術文献】
【特許文献】
【０００３】
【特許文献１】特開２００３−２３０２５７号公報
【発明の概要】
【発明が解決しようとする課題】
【０００４】
従来の固定子では、第１の保持片５５３ａの先端部５５３Ａおよび第２の保持片５５３ｂの先端部５５３Ｂが、カバー部材５４０によって覆われている２本の固定子巻線（部分固定子巻線）の外周面に沿って配置されるように折り曲げられている。このため、第１の保持片５５３ａの先端部５５３Ａおよび第２の保持片５５３ｂの先端部５５３Ｂがカバー部材を貫通し、カバー部材５４０が損傷するおそれがある。
本発明は、このような点に鑑みて創案されたものであり、共通のカバー部材によって覆われている複数の固定子巻線の端部を、カバー部材の損傷を防止しながら端子に保持することができる技術を提供することを目的とする。
【課題を解決するための手段】
【０００５】
第１の発明は、固定子に関する。
本発明の固定子は、固定子コアと、固定子コアに巻き付けられている固定子巻線と、固定子コアから引き出された固定子巻線の端部に接続される端子と、固定子巻線の端部を覆うカバー部材を備えている。
固定子巻線の端部は、少なくとも２つの端部を含むグループに分けられている。例えば、各相の固定子巻線が、２重スター結線される２つの部分固定子巻線を有している場合には、同じ相の２つの部分固定子巻線の端部のうち、中性点を形成しない端部が同じグループに含まれる。あるいは、各相の固定子巻線がデルタ結線される場合には、各相の固定子巻線の一方の端部および他方の端部のうち、共通に接続される端部が同じグループに含まれる。本明細書では、「固定子巻線」とい記載は、部分固定子巻線を含むものとして用いられている。
カバー部材は、同じグループに含まれている固定子巻線の端部が一列に並んで配置されている状態で、これらの端部を覆うように構成されている。カバー部材は、好適には、固定子コアから引き出された箇所と端部の間の部分を覆うように構成される。なお、端子に接続される部分がカバー部材で覆われないように構成するのが好ましい。カバー部材は、好適には、絶縁特性を有する樹脂あるいは絶縁特性および耐熱特性を有する樹脂により形成される。
固定子巻線の端部が接続される端子は、本体部材と、固定子巻線の端部を本体部に保持する保持部材を有している。保持部材は、本体部材の一方向に沿った両側に設けられ、本体部材に対して折り曲げ可能な第１の保持片および第２の保持片を有している。典型的には、本体部材と第１の保持片および第２の保持片は、導電性を有する金属により一体成形される。なお、端子には、固定子巻線の端部が保持部材の保持片により保持されている状態で固定子巻線の端部が接続される接続部材を有している。接続部材としては、公知の種々の接続片を用いることができる。例えば、保持部材と同様に、本体部材の一方向に沿った両側に設けられ、本体部材に対して折り曲げ可能な第１の接続片および第２の接続片を有する接続部材を用いることができる。
固定子巻線の端部を端子に接続する際には、カバー部材が、当該カバー部材によって覆われている固定子巻線の端部が一方向に沿って一列に並ぶように、第１の保持片と第２の保持片の間に配置される。そして、この状態で、第１の保持片および第２の保持片が折り曲げられる。この時、一方の保持片は、当該一方の保持片の先端部分がカバー部材の外周面に沿って配置されるとともに、カバー部材によって覆われている固定子巻線の端部のうち、一方向に沿って一方側に配置されている（一方の保持片が設けられている側に配置されている）少なくとも一つの端部が当該一方の保持片と本体部材との間に挟持されるように折り曲げられる。また、他方の保持片は、当該他方の保持片の先端部分（面）がカバー部材の外周面に沿って配置されるとともに、一方の保持片と本体部材との間に挟持されていない残りの端部（他方の保持片側に配置されている残りの端部）が当該他方の保持片と本体部材との間に挟持されるように折り曲げられる。「保持片の先端部分がカバー部材の外周面に沿って配置される」という記載は、保持片の先端部を含む部分が、保持片による外力が加わっていない状態のカバー部材の外周面に沿って配置されている態様（概略沿っている態様を含む）を意味する。典型的には、カバー部材によって覆われている固定子巻線の端部の外周面を結ぶ線に平行（略平行を含む）に配置されている態様が対応する。また、「一方向に沿って一方側に配置されている少なくとも一つの端部が一方の保持片と本体部材との間に挟持され、一方の保持片と本体部材の間に挟持されていない残りの端部が他方の保持片と本体部材との間に挟持される」という記載は、両方の保持片が重なっていない態様および両方の保持片が少なくとも一部で重なっている態様を含む。
本発明では、カバー部材によって覆われている固定子巻線の端部を第１の保持片および第２の保持片からなる保持部材によって端子に保持する際に、第１の保持片および第２の保持片の先端部によってカバー部材が損傷するのを防止することができる。
第１の発明の異なる形態では、他方の保持片は、当該他方の保持片が一方の保持片の少なくとも一部と重なる位置まで折り曲げられている。
第１の発明の他の異なる形態では、グループには、固定子巻線の端部が２つ含まれている。そして、一方向に沿った一方側の１つの固定子巻線の端部は、一方の保持片と本体部材の間に挟持され、他方側の１つの固定子巻線の端部は、他方の保持片と本体部材の間に挟持される。本形態は、例えば、各相の固定子巻線が、２重スター結線される２つの部分固定子巻線を有している場合、あるいは、各相の固定子巻線がデルタ結線される場合が対応する。
第１の発明の更に他の異なる形態では、グループには、固定子巻線の端部が３つ含まれている。そして、一方向に沿った一方側の少なくとも一つの固定子巻線の端部は、一方の保持片と本体部材の間に挟持され、他方側の残りの固定子巻線の端部は、他方の保持片と本体部材の間に挟持される。本形態は、例えば、各相の固定子巻線が、３重スター結線される３つの部分固定子巻線を有している場合が対応する。
第２の発明は、固定子に関し、第１の発明と同様に、固定子コアと、固定子コアに巻き付けられている固定子巻線と、固定子コアから引き出された固定子巻線の端部に接続される端子と、固定子巻線の端部を覆うカバー部材を備えている。
固定子巻線の端部は、少なくとも２つの端部を含むグループに分けられている。また、カバー部材は、同じグループに含まれている固定子巻線の端部が一列に並んで配置されている状態で、これらの端部を覆うように構成されている。
固定子巻線の端部が接続される端子は、本体部材と、固定子巻線の端部を本体部に保持する保持部材を有している。保持部材は、本体部材の一方向に沿った両側に設けられ、本体部材に対して折り曲げ可能な第１の保持片および第２の保持片を有している。
固定子巻線の端部を端子に接続する際には、カバー部材が、当該カバー部材によって覆われている固定子巻線の端部が一方向に沿って一列に並ぶように、第１の保持片と第２の保持片の間に配置される。そして、この状態で、第１の保持片および第２の保持片が折り曲げられる。本発明では、一方の保持片は、当該一方の保持片の先端部分がカバー部材の外周面に沿って配置されるとともに、カバー部材によって覆われている固定子巻線の端部の全てが当該一方の保持片と本体部材との間に挟持されるように折り曲げられる。また、他方の保持片は、一方の保持片の少なくとも一部と重なるように折り曲げられる。
本発明では、第１の保持片および第２の保持片の先端部によってカバー部材が損傷するのを防止しながら、カバー部材によって覆われている固定子巻線の端部を端子に保持することができる。
第１および第２の発明の異なる形態では、固定子巻線は、第１相、第２相および第３相（典型的には、Ｕ相、Ｖ相およびＷ相）の固定子巻線を有しているとともに、第１相、第２相および第３相の固定子巻線は、スター結線される複数の部分固定子巻線を有している。そして、同じ相の各部分固定子巻線の端部のうち中性点を形成しない端部によってグループが構成される。
また、第１および第２の発明の他の異なる形態では、固定子巻線は、第１相、第２相および第３相（典型的には、Ｕ相、Ｖ相およびＷ相）の固定子巻線を有しているとともに、第１相、第２相および第３相の固定子巻線は、デルタ結線される１または複数の部分固定子巻線を有している。そして、第１相、第２相および第３相それぞれの部分固定子巻線の一方の端部および他方の端部のうち共通に接続される端部によってグループが構成される。
第３の発明は、前述した固定子と回転子を備える電動機に関する。
本発明においても、前述した固定子と同様の効果を有する。
【発明の効果】
【０００６】
本発明の固定子および電動機を用いることにより、共通のカバー部材によって覆われている複数の固定子巻線の端部を、カバー部材の損傷を防止しながら端子に保持することができる。
【図面の簡単な説明】
【０００７】
【図１】第１の実施の形態の電動機の斜視図である。
【図２】第１の実施の形態の電動機の結線状態を示す図である。
【図３】第１の実施の形態の電動機の平面図である。
【図４】第１の実施の形態の電動機で用いられている、固定子巻線の端部に接続される接触子の平面図である。
【図５】図４のＶ−Ｖ線断面図である。
【図６】図４のＶＩ−ＶＩ線断面図である。
【図７】第２の実施の形態の電動機の平面図である。
【図８】第２の実施の形態の電動機で用いられている、固定子巻線の端部に接続される接触子の平面図である。
【図９】図８のＩＸ−ＩＸ線断面図である。
【図１０】第３の実施の形態の電動機の平面図である。
【図１１】第３の実施の形態の電動機の結線状態を示す図である。
【図１２】第３の実施の形態の電動機で用いられている、固定子巻線の端部に接続される接触子の平面図である。
【図１３】図１２のＸＩＩＩ−ＸＩＩＩ線断面図である。
【図１４】図１２のＸＩＶ−ＸＩＶ線断面図である。
【図１５】第４の実施の形態の電動機の平面図である。
【図１６】第４の実施の形態の電動機で用いられている、固定子巻線の端部に接続される接触子の平面図である。
【図１７】図１６のＸＶＩＩ−ＸＶＩＩ線断面図である。
【図１８】第５の実施の形態の電動機の結線状態を示す図である。
【図１９】従来の電動機で用いられている、固定子巻線の端部に接続される接触子の断面図である。
【発明を実施するための形態】
【０００８】
以下に、本発明の実施の形態を説明する。
本発明の第１の実施の形態の電動機を、図１〜図６を用いて説明する。なお、図１は、第１の実施の形態の電動機の斜視図である。図２は、第１の実施の形態の電動機の結線状態を示す図である。図３は、第１の実施の形態の電動機の平面図である。図４は、第１の実施の形態の電動機で用いられている接触子の平面図であり、図５は、図４のＶ−Ｖ線断面図、図６は、図４のＶＩ−ＶＩ線断面図である。
第１の実施の形態の電動機は、スロット数が９であり、固定子巻線の巻線方式として集中巻き方式が用いられており、また、各相の固定子巻線は、３重スター結線される３つの部分固定子巻線を有している。
【０００９】
第１の実施の形態の電動機は、固定子１０を有している。なお、図１には回転子が図示されていないが、回転子としては、公知の回転子が用いられる。回転子は、固定子１０に対して回転可能に支持される。この時、回転子、すなわち、回転子の回転軸は、回転中心線Ｐを中心に回転する。
固定子１０は、固定子コア２０、固定子巻線３０、端部絶縁部材８０等を有している。なお、図１には、端部絶縁部材８０の構成を分かりやすくするために固定子巻線３０が図示されていない。固定子巻線３０は、図３に示されている。
固定子コア２０は、薄板状の電磁鋼板を軸方向に積層し、オートクランプ等で一体化することによって構成されている。固定子コア２０は、周方向に沿って延びているヨーク２１と、ヨーク２１から径方向内側に延びている複数のティース２２を有している。ティース２２は、ヨーク２１から径方向内側に延びているティース基部と、ティース基部の先端側に設けられ、周方向に沿って延びているティース先端部を有している。ティース先端部には、回転子側（径方向内側）にティース先端面２２ａが形成されている。回転子は、ティース先端面２２ａによって形成される回転子収容空間２０ａ内に、回転子の外周面とティース先端面２２ａとの間に空隙を有するように回転可能に支持される。
端部絶縁部材８０は、固定子コア２０の軸方向両側（軸方向端面に対向する位置）に設けられる。端部絶縁部材８０は、ティース２２のティース先端部に対向する位置に配置される第１の壁部材（内周壁）８１、ヨーク２１に対向する位置に配置される第２の壁部材（外周壁）８２、ティース２２のティース基部に対向する位置に配置され、第１の壁部材８１と第２の壁部材８２を連結する連結部材８３を有している。
固定子巻線３０は、固定子コア２０の軸方向両側に端部絶縁部材８０が配置されている状態で、連結部材８３とティース基部が一体となるようにティース２２に直接に巻き付けられる（集中巻き方式）。
【００１０】
本実施の形態の電動機では、固定子巻線３０は、Ｕ相、Ｖ相およびＷ相の固定子巻線を有している。また、図２に示されているように、Ｕ相の固定子巻線は、部分固定子巻線３０Ｕ１、３０Ｕ２および３０Ｕ３を有し、Ｖ相の固定子巻線は、部分固定子巻線３０Ｖ１、３０Ｖ２および３０Ｖ３を有し、Ｗ相の固定子巻線は、部分固定子巻線３０Ｗ１、３０Ｗ２および３０Ｗ３を有している。そして、部分固定子巻線３０Ｕ１、３０Ｖ１および３０Ｗ１それぞれの一方の端部Ｕ１ｂ、ＶＩｂおよびＷ１ｂは、中性点Ｐ１を形成し、部分固定子巻線３０Ｕ２、３０Ｖ２および３０Ｗ２それぞれの一方の端部Ｕ２ｂ、Ｖ２ｂおよびＷ２ｂは、中性点Ｐ２を形成し、部分固定子巻線３０Ｕ３、３０Ｖ３および３０Ｗ３それぞれの一方の端部Ｕ３ｂ、Ｖ３ｂおよびＷ３ｂは、中性点Ｐ３を形成している。また、部分固定子巻線３０Ｕ１、３０Ｕ２および３０Ｕ３の他方の端部Ｕ１ａ、Ｕ２ａおよびＵ３ａは、固定子コア２０から引き出されて接触子５０Ｕに接続され、部分固定子巻線３０Ｖ１、３０Ｖ２および３０Ｖ３それぞれの他方の端部Ｖ１ａ、Ｖ２ａおよびＶ３ａは、固定子コア２０から引き出されて接触子５０Ｖに接続され、部分固定子巻線３０Ｗ１、３０Ｗ２および３０Ｗ３それぞれの他方の端部Ｗ１ａ、Ｗ２ａおよびＷ３ａは、固定子コア２０から引き出されて接触子５０Ｗに接続されている。
すなわち、本実施の形態の電動機では、各相（Ｕ相、Ｖ相、Ｗ相）の固定子巻線は、スター結線される３つの部分固定子巻線（３０Ｕ１〜３０Ｕ３、３０Ｖ１〜３０Ｖ３、３０Ｗ１〜３０Ｗ３）を有している（３重スター結線）。そして、固定子コア２０から引き出された各部分固定子巻線（３０Ｕ１〜３０Ｕ３、３０Ｖ１〜３０Ｖ３、３０Ｗ１〜３０Ｗ３）の端部（Ｕ１ａ〜Ｕ３ａ、Ｖ１ａ〜Ｖ３ａ、Ｗ１ａ〜Ｗ３ａ）は、Ｕ相、Ｖ相およびＷ相のグループに分けられ、各グループの接触子５０Ｕ、５０Ｖおよび５０Ｗに接続されている。
【００１１】
次に、固定子コア２０から引き出された各部分固定子巻線（３０Ｕ１〜３０Ｕ３、３０Ｖ１〜３０Ｖ３、３０Ｗ１〜３０Ｗ３）の端部（Ｕ１ａ〜Ｕ３ａ、Ｖ１ａ〜Ｖ３ａ、Ｗ１ａ〜Ｗ３ａ）の端部を各グループの接触子５０（５０Ｕ、５０Ｖ、５０Ｗ）に接続する構成を図３〜図６により説明する。
固定子コア２０から引き出された、同じ相の部分固定子巻線の端部は、他の部材に接触するのを防止するために、絶縁特性を有する筒状のカバー部材４０により覆われる。例えば、図５に示されているように、固定子コア２０から引き出されたＵ相の部分固定子巻線３０Ｕ１、３０Ｕ２および３０Ｕ３の端部は、一列（図５では左右方向）に並んで配置されている状態でカバー部材４０により覆われる。カバー部材４０の断面形状は、複数の部分固定子巻線の端部を一列に並んだ状態で覆うことができる適宜の形状に設定される。カバー部材４０は、好適には、絶縁特性を有する樹脂により形成される。例えば、ポリエチレンテレフタレート（ＰＥＴ）により形成されたカバー部材が用いられる。あるいは、絶縁特性および耐熱特性を有する樹脂により形成される。例えば、耐熱特性が高いノーメックス（ＮＯＭＥＸ）（登録商標）と絶縁特性が高いポリブチレンテレフタレート（ＰＢＴ）により形成されたカバー部材や、絶縁特性および耐熱特性が高いフッ素樹脂（ＦＥＰ）により形成されたカバー部材が用いられる。
また、端熱性を高め、材料費を低減する場合には、ノーメックス（ＮＯＭＥＸ）の両側にポリエチレンテレフタレート（ＰＥＴ）からなる層（内層と外層）を、幅方向にずらせた状態で重ね、その後長手方向に沿って螺旋状（スパイラル状）に巻き付けることによって筒状に形成されたカバー部材を用いるのが好ましい。
【００１２】
次に、カバー部材４０により覆われている、同じ相の部分固定子巻線の端部は、各相の接触子５０に保持および接続される。
接触子５０の構造を図４により説明する。
なお、接触子５０は、部分固定子巻線の端部が保持および接続されている状態で、クラスター７０に挿入される。クラスター７０に外部端子が接続されることで、外部端子からクラスター７０および接触子５０を介して部分固定子巻線に電流が供給される。本実施の形態では、接触子５０を「端子」として説明している。
接触子５０は、本体部材５１、保持部材５３、接続部材５４を有している。本体部材５１には、接触子５０がクラスター７０に挿入されている状態でクラスター７０に外部端子が接続された時に、外部端子と導通状態となる接触部５２が形成されている。接触子５０は、好適には、導電性を有する金属により一体成形される。
保持部材５３は、本体部材５１の一方向（図４では上下方向）に沿って両側に設けられ、本体部材５１に対して折り曲げ可能な第１の保持片５３ａと第２の保持片５３ｂを有している。
接続部材５４は、保持部材５３と同様に、本体部材５１の一方向（図４では上下方向）に沿って両側に設けられ、本体部材５１に対して折り曲げ可能な第１の接続片５４ａと第２の接続片５４ｂを有している。
【００１３】
カバー部材４０により覆われている部分固定子巻線の端部を接触子５０に接続する際には、カバー部材４０を本体部材５１に配置した状態で、第１の接続片５４ａと第２の接続片５４ｂを折り曲げるとともに、第１の保持片５３ａと第２の保持片５３ｂを折り曲げる。
例えば、図５に示されているように、カバー部材４０を、カバー部材４０によって覆われているＵ相の部分固定子巻線３０Ｕ１、３０Ｕ２および３０Ｕ３が、一方向（図４の上下方向、図５の左右方向）に沿って一列に並ぶように、第１の保持片５３ａと第２の保持片５３ｂの間に配置する。この時、Ｕ相の部分固定子巻線３０Ｕ１、３０Ｕ２および３０Ｕ３の端部のうち、カバー部材４０により覆われていない部分（先端部分）が、第１の接続片５４ａと第２の接続片５４ｂの間に配置される。
そして、この状態で、第１の接続片５４ａと第２の接続片５４ｂを折り曲げる。この時、第１の接続片５４ａと第２の接続片５４ｂは、第１の接続片５４ａの先端部５４Ａおよび第２の接続片５４ｂの先の先端部５４Ｂが、部分固定子巻線３０Ｕ１、３０Ｕ２および３０Ｕ３のうち中央に配置されている部分固定子巻線３０Ｕ２に突き刺さるように折り曲げられる。これにより、部分固定子巻線３０Ｕ１、３０Ｕ２および３０Ｕ３の端部（端部の先端部分）が、接触子５０に接続される。本実施の形態の接続方法は、カバー部材により覆われている部分固定子巻線（固定子巻線）の端部の数が奇数の場合に用いられる。
また、第１の保持片５３ａと第２の保持片５３ｂを折り曲げる。この時、第２の保持片５３ｂは、その先端部分がカバー部材４０の外周面に沿って配置されるとともに、Ｕ相の部分固定子巻線３０Ｕ１、３０Ｕ２および３０Ｕ３のうち第２の保持片５３ｂ側に配置されている部分固定子巻線３０Ｕ３および３０Ｕ２の端部が第２の保持片５３ｂと本体部材５１の間に挟持されるように折り曲げられる。また、第１の保持片５３ａは、その先端部分がカバー部材４０の外周面に沿って配置されるととともに、第２の保持片５３ｂと本体部材５１の間に挟持されていない残りの部分固定子巻線３０Ｕ１の端部が第１の保持片５３ａと本体部材５１の間に挟持されるように折り曲げられる。保持片５３ａの先端部分は、保持片５３ａの先端部５３Ａを含む部分であり、保持片５３ｂの先端部分は、保持片５３ｂの先端部５３Ｂを含む部分である。
「保持片（５３ａ、５３ｂ）の先端部分がカバー部材（４０）の外周面に沿って配置される」という記載は、保持片（５３ａ、５３ｂ）の先端部分が、保持片（５３ａ、５３ｂ）による外力が加わっていない状態のカバー部材（４０）の外周面に沿って配置されている態様（概略沿っている態様を含む）を意味する。典型的には、カバー部材（４０）によって覆われている部分固定子巻線（３０Ｕ１、３０Ｕ２、３０Ｕ３）の端部の外周面を結ぶ線に平行（略平行を含む）に配置されている態様が対応する。
なお、第１の保持片５３ａおよび第２の保持片５３ｂ、第１の接続片５４ａおよび第２の接続片５４ｂは、予めＵ字状に折り曲げておくのが好ましい。
また、本実施の形態では、第１の保持片５３ａの先端部分は、第２の保持片５３ｂの一部と重なる位置まで折り曲げられているが、このような態様も、「保持片の先端部分がカバー部材の外周面に沿って配置される」構成に包含される。
前述した部分固定子巻線の端部の保持構造は、第１の保持片５３ａと第２の保持片５３ｂの、本体部材５１から延びている方向に沿った長さを設定することによって得ることができる。
【００１４】
以上のように、本実施の形態では、それぞれの先端部分がカバー部材４０の外周面に沿って配置されるように第１の保持片５３ａおよび第２保持片５３ｂが折り曲げられているため、第１の保持片５３ａの先端部５３Ａおよび第２の保持片５３ｂの先端部５３Ｂが、従来例のように、隣接する部分固定子巻線の間に入り込まない。これにより、第１の保持片５３ａの先端部５３Ａおよび第２の保持片５３ｂの先端部５３Ｂによるカバー部材４０の損傷を防止しながら、部分固定子巻線の端部を接触子５０に保持することができる。
【００１５】
ここで、接触子５０がクラスター７０に挿入されている状態で、振動や、クラスター７０を接続する際の外力等によって、接触子５０がクラスター７０に対して動く（例えば、連結点を中心に回動する）ことがある。
従来例のように、第１の保持片の先端部および第２の保持片の先端部がカバー部材を貫通し、さらに固定子巻線の端部に突き刺さっていると、接触子のクラスターに対する動きによる応力が、第１の保持片の先端部および第２の保持片の先端部が突き刺さっている箇所に集中する。また、第１の保持片の先端部および第２の保持片の先端部が固定子巻線の端部に突き刺さっていると、当該突き刺さっている箇所の強度も低下する。このため、接触子がクラスターに対して動いた時に、固定子巻線の端部が折れるおそれがある。
これに対し、本実施の形態では、第１の保持片５３ａの先端部５３Ａおよび第２の保持片５３ｂの先端部５３Ｂが固定子巻線の端部に突き刺ささることがないため、接触子５０がクラスター７０に対して動くことによる固定子巻線の端部の折れを防止することができる。
【００１６】
本実施の形態では、第２の保持片５３ｂによって部分固定子巻線３０Ｕ３と３０Ｕ２の端部を保持するとともに、第１の保持片５３ａによって残りの部分固定子巻線３０Ｕ１の端部を保持したが、第２の保持片５３ｂによって部分固定子巻線３０Ｕ３の端部を保持するとともに、第１の保持片５３ａによって残りの部分固定子巻線３０Ｕ１と３０Ｕ２の端部を保持してもよい、また、第１の保持片５３ａを先に折り曲げ、第２の保持片５３ｂを、第１の保持片５３ａの一部と重なる位置まで折り曲げてもよい。
【００１７】
本発明の電動機の第２の実施の形態を図７〜図９により説明する。図７は、第２の実施の形態の電動機の平面図である。図８は、第２の実施の形態の電動機で用いられている接触子の平面図であり、図９は、図８のＩＸ−ＩＸ線断面図である。
本実施の形態の電動機は、第１の実施の形態の電動機と同様に、スロット数が９であり、固定子巻線の巻線方式として集中巻き方式が用いられており、また、各相の固定子巻線は、３重スター結線される３つの部分固定子巻線を有している。
本実施の形態の電動機は、部分固定子巻線の端部を保持する保持部材の構成が第１の実施の形態の電動機と異なっている。したがって、接触子の構成のみを説明する。なお、図７〜図９において、各構成要素に付されている符号の下２桁と、図３〜図６において、各構成要素に付されている符号が同じものは、同じ構成要素を示している。
【００１８】
本実施の形態の電動機では、カバー部材１４０により覆われている部分固定子巻線の端部を接触子１５０に接続する際には、カバー部材１４０を本体部材１５１に配置した状態で、第１の接続片１５４ａと第２の接続片１５４ｂを折り曲げるとともに、第１の保持片１５３ａと第２の保持片１５３ｂを折り曲げる。第１の接続片１５４ａと第２の接続片１５４ｂを折り曲げる方法は、第１の実施の形態の電動機と同様である（図６参照）。
第１の実施の形態の電動機では、一方の保持片を折り曲げた後、他方の保持片を、一方の保持片の少なくとも一部と重なる位置まで折り曲げたが、本実施の形態では、両保持片が重ならないように折り曲げている。
第１の保持片１５３ａは、その先端部分がカバー部材１４０の外周面に沿って配置されるとともに、カバー部材１４０によって覆われているＵ相の部分固定子巻線１３０Ｕ１、１３０Ｕ２および１３０Ｕ３のうち第１の保持片１５３ａ側に配置されている部分固定子巻線１３０Ｕ１と１３０Ｕ２の端部が第１の保持片１５３ａと本体部材１５１の間に挟持されるように折り曲げられる。また、第２の保持片１５３ｂは、その先端部分がカバー部材１４０の外周面に沿って配置されるととともに、第１の保持片１５３ａと本体部材１５１の間に挟持されていない残りの部分固定子巻線１３０Ｕ３の端部が第２の保持片１５３ｂと本体部材１５１の間に挟持されるように折り曲げられる。本実施の形態の電動機においても、第１の保持片１５３ａおよび第２の保持片１５３ｂの先端部分は、従来例のように、隣接する部分固定子巻線の間に入り込まない。これにより、第１の保持片１５３ａの先端部１５３Ａおよび第２の保持片１５３ｂの先端部１５３Ｂによるカバー部材１４０の損傷を防止しながら、部分固定子巻線の端部を接触子１５０に保持することができる。
前述した部分固定子巻線の端部の保持構造は、第１の保持片１５３ａと第２の保持片１５３ｂの、本体部材１５１から延びている方向に沿った長さを設定することによって得ることができる。
【００１９】
本実施の形態では、第１の保持片１５３ａによって部分固定子巻線１３０Ｕ１と１３０Ｕ２の端部を保持するとともに、第２の保持片１５３ｂによって残りの部分固定子巻線１３０Ｕ３の端部を保持したが、第１の保持片１５３ａによって部分固定子巻線１３０Ｕ１の端部を保持するとともに、第２の保持片１５３ｂによって残りの部分固定子巻線１３０Ｕ３と１３０Ｕ２の端部を保持してもよい。
【００２０】
次に、本発明の第３の実施の形態の電動機を図１０〜図１４により説明する。なお、図１０は、第３の実施の形態の電動機の平面図である。図１１は、第３の実施の形態の電動機の結線状態を示す図である。図１２は、第３の実施の形態の電動機で用いられている接触子の平面図であり、図１３は、図１２のＸＩＩＩ−ＸＩＩＩ線断面図、図１４は、図１２のＸＩＶ−ＸＩＶ線断面図である。
第３の実施の形態の電動機は、スロット数が６であり、固定子巻線の巻線方式として集中巻き方式が用いられており、また、各相の固定子巻線は、２重スター結線される２つの部分固定子巻線を有している。
なお、図１０〜図１４において、各構成要素に付されている符号の下２桁と、図３〜図６において、各構成要素に付されている符号が同じものは、同じ構成要素を示している。
【００２１】
本実施の形態の電動機では、図１１に示されているように、Ｕ相の固定子巻線は、部分固定子巻線３０Ｕ１および３０Ｕ２を有し、Ｖ相の固定子巻線は、部分固定子巻線３０Ｖ１および３０Ｖ２を有し、Ｗ相の固定子巻線は、部分固定子巻線３０Ｗ１および３０Ｗ２を有している。そして、部分固定子巻線３０Ｕ１、３０Ｖ１および３０Ｗ１それぞれの一方の端部Ｕ１ｂ、Ｖ１ｂおよびＷ１ｂは、中性点Ｐ１を形成し、部分固定子巻線３０Ｕ２、３０Ｖ２および３０Ｗ２それぞれの一方の端部Ｕ２ｂ、Ｖ２ｂおよびＷ２ｂは、中性点Ｐ２を形成している。また、部分固定子巻線３０Ｕ１および３０Ｕ２それぞれの他方の端部Ｕ１ａおよびＵ２ａは、固定子コア２２０から引き出されて接触子２５０Ｕに接続され、部分固定子巻線２３０Ｖ１および２３０Ｖ２それぞれの他方の端部Ｖ１ａおよびＶ２ａは、固定子コア２２０から引き出されて接触子２５０Ｖに接続され、部分固定子巻線２３０Ｗ１および２３０Ｗ２それぞれの他方の端部Ｗ１ａおよびＷ２ａは、固定子コア２２０から引き出されて接触子２５０Ｗに接続されている。
すなわち、本実施の形態の電動機は、各相（Ｕ相、Ｖ相、Ｗ相）の固定子巻線は、スター結線される２つの部分固定子巻線（３０Ｕ１および３０Ｕ２、３０Ｖ１および３０Ｖ２、３０Ｗ１および３０Ｗ２）を有している（２重スター結線）。そして、固定子コア２２０から引き出された部分固定子巻線（３０Ｕ１〜３０Ｕ２、３０Ｖ１〜３０Ｖ２）の端部（Ｕ１ａおよびＵ２ａ、Ｖ１ａおよびＶ２ａ、Ｗ１ａおよびＷ２ａ）は、Ｕ相、Ｖ相およびＷ相のグループに分けられ、各グループの接触子２５０（２５０Ｕ、２５０Ｖおよび２５０Ｗ）に接続されている。
固定子コア２２０から引き出された、同じ相の部分固定子巻線の端部は、カバー部材２４０により覆われる。カバー部材２４０としては、前述したカバー部材４０と同様のものを用いることができる。
【００２２】
本実施の形態の接触子２５０は、第１の実施の形態の接触子５０と同様に、本体部材２５１、保持部材２５３、接続部材２５４を有している。
保持部材２５３は、本体部材２５１の一方向（図１２では上下方向）に沿って両側に設けられ、本体部材２５１に対して折り曲げ可能な第１の保持片２５３ａと第２の保持片２５３ｂを有している。
接続部材２５４は、保持部材２５３と同様に、体部材２５１の一方向（図１２では上下方向）に沿って両側に設けられ、本体部材２５１に対して折り曲げ可能な第１の接続片２５４ａと第２の接続片２５４ｂを有している。
カバー部材２４０により覆われている部分固定子巻線の端部を接触子２５０に接続する際には、図１３に示されているように、カバー部材２４０を、カバー部材２４０によって覆われているＵ相の部分固定子巻線２３０Ｕ１および２３０Ｕ２が、一方向（図１２の上下方向、図１３の左右方向）に沿って一列に並ぶように、第１の保持片２５３ａと第２の保持片２５３ｂの間に配置する。この時、Ｕ相の部分固定子巻線２３０Ｕ１および２３０Ｕ２の端部のうち、カバー部材２４０により覆われていない部分（先端部分）が、第１の接続片２５４ａと第２の接続片２５４ｂの間に配置される。
そして、この状態で、第１の接続片２５４ａと第２の接続片２５４ｂを折り曲げる。この時、第１の接続片２５４ａは、その先端部分が、第１の接続片２５４ａ側に配置されている部分固定子巻線２３０Ｕ１の端部を巻き込みように配置される。また、第２の接続片２５４ｂは、その先端部分が、第２の接続片２５４ｂ側に配置されている部分固定子巻線２３０Ｕ２の端部を巻き込みように配置される。これにより、部分固定子巻線２３０Ｕ１および２３０Ｕ２が、接触子２５０に接続される。本実施の形態の接続方法は、カバー部材により覆われている部分固定子巻線（固定子巻線）の端部の数が偶数の場合に用いられる。
【００２３】
また、第１の保持片２５３ａと第２の保持片２５３ｂを折り曲げる。この時、第２の保持片２５３ｂは、その先端部分がカバー部材２４０の外周面に沿って配置されるとともに、部分固定子巻線２３０Ｕ１および２３０Ｕ２のうち第２の保持片２５３ｂ側に配置されている部分固定子巻線２３０Ｕ２の端部が第２の保持片２５３ｂと本体部材２５１の間に挟持されるように折り曲げられる。また、第１の保持片２５３ａは、その先端部分がカバー部材２４０の外周面に沿って配置されるととともに、第２の保持片２５３ｂと本体部材２５１の間に挟持されていない残りの部分固定子巻線２３０Ｕ１の端部が第１の保持片２５３ａと本体部材２５１の間に挟持されるように折り曲げられる。すなわち、本実施の形態では、第１の保持片２５３ａおよび第２の保持片２５３ｂの先端部分は、従来例のように、隣接する部分固定子巻線の間に入り込まない。これにより、第１の保持片２５３ａの先端部２５３Ａおよび第２の保持片２５３ｂの先端部２５３Ｂによるカバー部材２４０の損傷を防止しながら、部分固定子巻線の端部を接触子２５０に保持することができる。
前述した部分固定子巻線の端部の保持構造は、第１の保持片２５３ａと第２の保持片２５３ｂの、本体部材２５１から延びている方向に沿った長さを設定することによって得ることができる。
なお、本実施の形態では、第１の保持片２５３ａの先端部分は、第２の保持片２５３ｂの一部と重なる位置まで折り曲げられているが、このような態様も、「保持片の先端部分がカバー部材の外周面に沿って配置される」構成に包含される。
また、本実施の形態の電動機では、第２の保持片２５３ｂを先に折り曲げ、第１の保持片２５３ａを、第２の保持片２５３ｂの一部と重なる位置まで折り曲げたが、第１の保持片２５３ａを先に折り曲げ、第２の保持片２５３ｂを、第１の保持片２５３ａの一部と重なる位置まで折り曲げてもよい。
【００２４】
本発明の電動機の第４の実施の形態を図１５〜図１７により説明する。図１５は、第４の実施の形態の電動機の平面図である。図１６は、第４の実施の形態の電動機で用いられている接触子の平面図であり、図１７は、図１６のＸＶＩＩ−ＸＶＩＩ線断面図である。
本実施の形態の電動機は、第３の実施の形態の電動機と同様に、スロット数が６であり、固定子巻線の巻線方式として集中巻き方式が用いられており、また、各相の固定子巻線は、２重スター結線される２つの部分固定子巻線を有している。
本実施の形態の電動機は、部分固定子巻線の端部を保持する保持部材の構成が第３の実施の形態の電動機と異なっている。したがって、接触子３５０の構成のみを説明する。なお、図１５〜図１７において、各構成要素に付されている符号の下２桁と、図３〜図６において、各構成要素に付されている符号が同じものは、同じ構成要素を示している。
【００２５】
本実施の形態の電動機では、カバー部材３４０により覆われている部分固定子巻線の端部を接触子３５０に接続する際には、カバー部材３４０を本体部材３５１に配置した状態で、第１の接続片３５４ａと第２の接続片３５４ｂを折り曲げるとともに、第１の保持片３５３ａと第２の保持片３５３ｂを折り曲げる。第１の接続片３５４ａと第２の接続片３５４ｂを折り曲げる方法は、第３の実施の形態の電動機と同様である（図１４参照）。
第３の実施の形態の電動機では、一方の保持片を折り曲げた後、他方の保持片を、一方の保持片の少なくとも一部と重なる位置まで折り曲げたが、本実施の形態では、両保持片が重ならないように折り曲げている。これを図１７により説明する。
第１の保持片３５３ａは、その先端部分がカバー部材３４０の外周面に沿って配置されるとともに、カバー部材３４０によって覆われているＵ相の部分固定子巻線３３０Ｕ１および３３０Ｕ２のうち第１の保持片３５３ａ側に配置されている部分固定子巻線３３０Ｕ１の端部が第１の保持片３５３ａと本体部材３５１の間に挟持されるように折り曲げられる。また、第２の保持片３５３ｂは、その先端部分がカバー部材３４０の外周面に沿って配置されるととともに、第１の保持片３５３ａと本体部材３５１の間に挟持されていない残りの部分固定子巻線３３０Ｕ２の端部が第２の保持片３５３ｂと本体部材３５１の間に挟持されるように折り曲げられる。本実施の形態の電動機においても、第１の保持片３５３ａおよび第２の保持片３５３ｂの先端部分は、従来例のように、隣接する部分固定子巻線の間に入り込まない。これにより、第１の保持片３５３ａの先端部３５３Ａおよび第２の保持片３５３ｂの先端部３５３Ｂによるカバー部材３４０の損傷を防止しながら、部分固定子巻線の端部を接触子３５０に保持することができる。
前述した部分固定子巻線の端部の保持構造は、第１の保持片３５３ａと第２の保持片３５３ｂの、本体部材３５１から延びている方向に沿った長さを設定することによって得ることができる。
【００２６】
以上の実施の形態では、各相の部分固定子巻線をスター結線される電動機について説明したが、本発明の構成は、各相の固定子巻線がデルタ結線される電動機に用いることもできる。図１８に、第５の実施の形態の電動機の結線状態が示されている。本実施の形態の電動機は、スロット数が６であり、固定子巻線の巻線方式として集中巻き方式が用いられており、また、各相の固定子巻線は、２重デルタ結線される２つの部分固定子巻線を有している。
本実施の形態の電動機では、Ｕ相の固定子巻線は、部分固定子巻線４３０Ｕ１および４３０Ｕ２を有し、Ｖ相の固定子巻線は、部分固定子巻線４３０Ｖ１および４３０Ｖ２を有し、Ｗ相の固定子巻線は、部分固定子巻線４３０Ｗ１および４３０Ｗ２を有している。すなわち、本実施の形態の電動機は、各相（Ｕ相、Ｖ相、Ｗ相）の固定子巻線は、デルタ結線される２つの部分固定子巻線を有している（２重デルタ結線）。
ここで、第１〜第４の実施の形態のように、部分固定子巻線をスター結線する場合には、部分固定子巻線の端部を、相を基準にグループ分けしたが、部分固定子巻線をデルタ結線する場合には、共通の端子を基準にグループ分けする。すなわち、固定子コアから引き出された各部分固定子巻線の一方の端部および他方の端部を、共通に接続されるグループ（Ｕ相とＶ相を接続するグループ、Ｖ相とＷ相を接続するグループ、Ｗ相とＵ相を接続するグループ）に分け、各グループの接触子に接続する。図１８では、固定子コアから引き出された各部分固定子巻線（４３０Ｕ１、４３０Ｖ１および４３０Ｗ１、４３０Ｕ２、４３０Ｖ２および４３０Ｗ２）の一方の端部（Ｕ１ａ、Ｖ１ａおよびＷ１ａ、Ｕ２ａ、Ｖ２ａおよびＷ２ａ）および他方の端部（Ｕ１ｂ、Ｖ１ｂおよびＷ１ｂ、Ｕ２ｂ、Ｖ２ｂおよびＷ２ｂ）は、Ｕ相とＶ相を接続するグループ（Ｕ１ａおよびＵ２ａ、Ｖ１ａおよびＶ２ａ）、Ｖ相とＷ相を接続するグループ（Ｖ１ｂおよびＶ２ｂ、Ｗ１ｂおよびＷ２ｂ）、Ｗ相とＵ相を接続するグループ（Ｗ１ａおよびＷ２ａ、Ｕ１ｂおよびＵ２ｂ）に分けられ、各グループの接触子４５０（４５０ＵＶ、４５０ＶＷ、４５０ＷＵ）に接続されている。
本実施の形態においても、前述したカバー部材および接触子と同様の構成のカバー部材および接触子が用いられる。
【００２７】
なお、本実施の形態では、同じグループに部分固定子巻線の端部が４つ（偶数）含まれている。
このため、接続部材を構成する第１の接続片および第２の接続片の折り曲げ態様としては、それぞれが２つの部分固定子巻線に接触するように折り曲げる折り曲げ態様が用いられる。この時、第１の接続片および第２の接続片は、図１４に示されているように、先端部分が部分固定子巻線の端部を巻き込むように配置される。
また、保持部材の第１の保持片および第２の保持片の折り曲げ態様としては、一方が１つの部分固定子巻線の端部を保持し、他方が残りの３つの部分固定子巻線の端部を保持するように折り曲げる折り曲げ態様、一方が２つの部分固定子巻線の端部を保持し、他方が残りの２つの部分固定子巻線の端部を保持するように折り曲げる折り曲げ態様を用いることができる。さらにこの場合、両保持片が少なくとも一部で重なるように折り曲げる折り曲げ態様、両保持片が重ならないように折り曲げる折り曲げ態様のいずれかを用いることができる。あるいは、一方が、カバー部材によって覆われている部分固定子巻線の端部全てを保持するように折り曲げられ、他方が一方の少なくとも一部と重なるように折り曲げる折り曲げ態様を用いることもできる。
前述した部分固定子巻線の端部の保持構造は、第１の保持片と第２の保持片の、本体部材から延びている方向に沿った長さを設定することによって得ることができる。
【００２８】
第５の実施の形態では、各相の固定子巻線が、デルタ結線される２つの部分固定子巻線を有しているが、単一つの部分固定子巻線（固定子巻線）を有していてもよい。この場合には、固定子コアから引き出された各固定子巻線の一方の端部および他方の端部がグループ分けされる。なお、本明細書では、「固定子巻線」という記載は、部分固定子巻線を意味するものとしても用いられる。
【００２９】
実施の形態では、回転子と固定子を備える電動機について説明したが、本発明は、電動機を含む回転機として構成することもできる。また、固定子として構成することもできる。
【００３０】
本発明は、実施の形態で説明した構成に限定されず、種々の変更、追加、削除が可能である。
固定子巻線を固定子コアに巻き付ける方式として集中巻き方式を用いたが、分布巻き方式を用いることもできる。
固定子巻線の結線方法や、各相の固定子巻線（部分固定子巻線）の数は、適宜選択することができる。
【符号の説明】
【００３１】
１０、１１０、２１０、３１０  固定子
２０、１２０、２２０、３２０  固定子コア
２１、１２１、２２１、３２１  ヨーク
２２、１２２、２２２、３２２  ティース
２５、１２５、２２５、３２５  スロット
３０、３０Ｕ１、３０Ｖ１、３０Ｗ１、３０Ｕ２、３０Ｖ２、３０Ｗ２、３０Ｕ３、３０Ｖ３、３０Ｗ３、１３０、１３０Ｕ１、１３０Ｖ１、１３０Ｗ１、１３０Ｕ２、１３０Ｖ２、１３０Ｗ２、２３０、２３０Ｕ１、２３０Ｖ１、２３０Ｗ１、２３０Ｕ２、２３０Ｖ２、２３０Ｗ２、３３０、３３０Ｕ１、３３０Ｖ１、３３０Ｗ１、３３０Ｕ２、３３０Ｖ２、３３０Ｗ２、４３０Ｕ１、４３０Ｖ１、４３０Ｗ１、４３０Ｕ２、４３０Ｖ２、４３０Ｗ２、５３０Ｕ１、５３０Ｕ２  部分固定子巻線
４０、１４０、２４０、３４０  カバー部材
５０、１５０、２５０、３５０、５５０  接触子（端子）
５１、１５１、２５１、３５１、５５１  本体部材
５２、１５２、２５２、３５２  接触部
５３ａ、５３ｂ、１５３ａ、１５３ｂ、２５３ａ、２５３ｂ、３５３ａ、３５３ｂ、５５３ａ、５５３ｂ  保持片
５４ａ、５４ｂ、１５４ａ、１５４ｂ、２５４ａ、２５４３ｂ、３５４ａ、３５４ｂ  接続片
８０、１８０、２８０、３８０  端部絶縁部材
８１、１８１、２８１、３８１  第１の壁部材（内壁部材）
８２、１８２、２８２、３８２  第２の壁部材（外壁部材）
８３、１８３、２８３、３８３  連結部材
７０、１７０、２７０、３７０  クラスター
【図１】
2013207997.tif 000003
【図２】
2013207997.tif 000004
【図３】
2013207997.tif 000005
【図４】
2013207997.tif 000006
【図５】
2013207997.tif 000007
【図６】
2013207997.tif 000008
【図７】
2013207997.tif 000009
【図８】
2013207997.tif 000010
【図９】
2013207997.tif 000011
【図１０】
2013207997.tif 000012
【図１１】
2013207997.tif 000013
【図１２】
2013207997.tif 000014
【図１３】
2013207997.tif 000015
【図１４】
2013207997.tif 000016
【図１５】
2013207997.tif 000017
【図１６】
2013207997.tif 000018
【図１７】
2013207997.tif 000019
【図１８】
2013207997.tif 000020
【図１９】
2013207997.tif 000021